(57)【特許請求の範囲】
【請求項１】
バッテリ（１）が外されたときに、内蔵の電池（１２）からスイッチ（１３）を介した電源供給によってフラッシュメモリ（２４）にデータを書き込むように構成されたナビゲーション装置であって、
前記フラッシュメモリ（２４）を有し、ナビゲーションとしての演算処理を行うとともに、前記電池（１２）から前記スイッチ（１３）を介した電源供給によりバスライン（２５）を介して前記フラッシュメモリ（２４）に前記データの書き込みを行う演算処理装置（２０）と、
前記演算処理装置（２０）と前記バスライン（２５）を介して接続された外部機器（３０、４０）と、
前記バッテリ（１）が外されたときに、前記スイッチ（１３）をオンにし、前記演算処理装置（２０）から前記データの書き込みが終了した旨の信号を受けて前記スイッチ（１３）をオフにするスイッチ制御手段と、を備え、
前記バッテリ（１）が外されたときに、前記外部機器（３０、４０）には電源供給が行われず、また前記バスライン（２５）の前記外部機器（３０、４０）側がハイインピーダンスになるように構成されていることを特徴とするナビゲーション装置。
【発明の詳細な説明】
【０００１】
【発明の属する技術分野】
本発明は、バッテリが外されたときに、バックアップメモリにデータを書き込む機能を備えたナビゲーション装置に関する。
【０００２】
【従来の技術および発明が解決しようとする課題】
従来、ナビゲーション装置では、バッテリが外されたときに、電池によりＳＲＡＭなどに必要なデータを保存（バックアップ）していた。
【０００３】
しかし、電池の容量によりデータの保存時間が左右され、長時間データを保存しようとした場合に、容量の大きな電池が必要となる。
【０００４】
本発明は上記問題に鑑みたもので、容量の大きな電池を用いずに、長時間のデータの保存ができるようにすることを目的とする。
【０００５】
【課題を解決するための手段】
上記目的を達成するため、請求項１に記載の発明では、バックアップメモリとして不揮発性メモリであるフラッシュメモリ（２４）を用いている。このことにより、データ保持のための電源供給を不要にすることができる。
【０００６】
また、フラッシュメモリ（２４）へのデータの書き込みは、演算処理装置（２０）において、バスライン（２５）を介して行われ、バッテリ（１）が外されてデータの書き込みを行うときに、外部機器（３０、４０）に電源供給を行わないようにするとともに、バスライン（２５）の外部機器（３０、４０）側をハイインピーダンスにする。このことにより、電池（１２）からの電源供給によってデータの書き込みを行うときの消費電流を少なくすることができ、容量の大きな電池を不要にすることができる。
【０００７】
なお、上記各手段の括弧内の符号は、後述する実施形態に記載の具体的手段との対応関係を示すものである。
【０００８】
【発明の実施の形態】
以下、本発明を図に示す実施形態について説明する。図１に、本発明の一実施形態にかかるナビゲーション装置のブロック構成を示す。このナビゲーション装置は、電源部１０、演算処理装置２０、外部データ読み取り装置３０、通信装置４０、バッファ５０などから構成されている。
【０００９】
電源部１０は、バッテリ１に接続された電源回路１１を有し、電源ライン１４から演算処理装置２０に電源供給を行い、電源ライン１５から外部データ読み取り装置３０、通信装置４０に電源を供給する。また、この電源部１０は、電池１２、スイッチ１３を有しており、バッテリ１が外されたときに、スイッチ１３がオンし、電池１２から電源ライン１４を介して演算処理装置２０に電源を供給する。このスイッチ１３は、バッテリ１が外されてからデータの書き込みが終了するまでオンになるものである。
【００１０】
演算処理装置２０は、ＣＰＵ２１、プログラムを記憶したＲＯＭ２２、データの記憶を行うＲＡＭ２３、バッテリ１が外されたときに必要なデータを保存するフラッシュメモリ（以下、フラッシュＲＯＭという）２４などを有している。ＣＰＵ２１は、ＲＯＭ２２に記憶されたプログラムに従い、地図および現在位置の表示、目的地への経路案内を行うなどのナビゲーションに必要な各種の演算処理を実行し、バッテリ１が外されて電池１２から電源が供給されたときに、必要なデータ、例えばそれまで表示されていた地図および現在位置のデータ、目的地への経路データなどをフラッシュＲＯＭ２４に書き込む処理を行う。ＣＰＵ２１、ＲＯＭ２２、ＲＡＭ２３、フラッシュＲＯＭ２４は、バスライン２５で接続されており、フラッシュＲＯＭ２４には、バスライン２５を介して上記したデータの書き込みが行われる。
【００１１】
外部データ読み取り装置３０は、ＣＤ、ＤＶＤなどの地図データ記憶媒体から地図データを読み取るもので、バスライン２５を介して演算処理装置２０と接続されている。
【００１２】
通信装置４０は、ディスプレイ（地図、現在位置などのナビゲーション表示を行うためのもの）、電話などの外部装置と、演算処理装置２０との間で通信を行うもので、バスライン２５を介して演算処理装置２０と接続されている。
【００１３】
バッファ５０は、フラッシュＲＯＭ２４にデータの書き込みを行うときに、バスライン２５の演算処理装置２０側をハイインピーダンスにし、演算処理装置２０に、外部データ読み取り装置３０、通信装置４０側の影響を与えないようにするために設けられている。
【００１４】
なお、電源部１０には、バッテリ１が外されたときに、それを検知して、スイッチ１３をオンにし、演算処理装置２０がデータの書き込み処理を行うための電源を供給し、演算処理装置２０から書き込み処理が終了した旨の信号を受けてスイッチ１３をオフにするスイッチ制御手段（図示せず）が設けられている。
【００１５】
上記構成において、その作動を説明する。図２に、図１における電源回路１１への入力電圧、スイッチ１３のオンオフ状態、電源ライン１４の電圧、電源ライン１５の電圧、演算処理装置２０の動作モードのタイミングチャートを示す。
【００１６】
バッテリ１が電源部１０に接続されており、電源回路１１への入力電圧が所定の電圧になっているときには、スイッチ１３がオフで、電源ライン１４、１５は、所定の電圧になっている。このとき、演算処理装置２０は、電源ライン１５から電源供給を受けて、通常の動作モードでナビゲーションにおける各種処理を行う。また、外部データ読み取り装置３０、通信装置４０も、電源ライン１５から電源供給を受けて、それぞれの動作を行う。
【００１７】
この状態からバッテリ１が外されると、スイッチ１３がオンし、電池１２から電源ライン１４を介して演算処理装置２０に電源が供給される。そして、演算処理装置２０は、バックアップ準備動作モードになり、必要なデータをフラッシュＲＯＭ２４に書き込む動作を行う。また、外部データ読み取り装置３０、通信装置４０は、電源ライン１５から電源が供給されず、それぞれの動作が停止する。このことにより、電流を多く消費する外部データ読み取り装置３０、通信装置４０への電源供給を停止して、フラッシュＲＯＭ２４へのデータ書き込みに不必要な電流の消費をなくすことができる。この時、バッファ５０により、バスライン２５の外部データ読み取り装置３０、通信装置４０側をハイインピーダンスにしている。このことにより、バスライン２５を介してフラッシュＲＯＭ２４にデータを書き込む際の消費電流を少なくすることができる。
【００１８】
その後、フラッシュＲＯＭ２４へのデータの書き込みが終了すると、スイッチ１３がオフし、電池１２から演算処理装置２０への電源供給が終了する。
【００１９】
なお、上記した実施形態においては、バッファ５０を設けて、バスライン２５の外部データ読み取り装置３０、通信装置４０側をハイインピーダンスにするものを示したが、バッファ５０以外の他の手段を用いてもよく、その手段は、外部データ読み取り装置３０、通信装置４０毎に設けられていてもよい。
【図面の簡単な説明】
【図１】本発明の一実施形態にかかるナビゲーション装置のブロック構成を示す図である。
【図２】図１中の各部の動作を示すタイミングチャートである。
【符号の説明】
１…バッテリ、１０…電源部、１１…電源回路、１２…電池、
１３…スイッチ、１４、１５…電源ライン、２０…演算処理装置、
２１…ＣＰＵ、２２…ＲＯＭ、２３…ＲＡＭ、２４…フラッシュＲＯＭ、
２５…バスライン、３０…外部データ読み取り装置、４０…通信装置、
５０…バッファ。
【図１】
0004304792.tif 000002
【図２】
0004304792.tif 000003